(57)【要約】【課題】浴室の排水ピットを設置作業性などに制約されることなく大容量化可能とする。【解決手段】浴室床１ａの底部に架台３を設置し、架台３上に床敷設体２を敷設する。床敷設体２の一側部に沿って浴室１の一方向の一端部から他端部まで延びるように排水ピット４を設置する。排水ピット４と床敷設体２とは、互いに別体とし、互いに独立して架台に支持させる。【選択図】図１
2020059994.tif 000002
【特許請求の範囲】
【請求項１】
浴室床の底部に設置された架台と、
前記架台上に敷設された床敷設体と、
前記床敷設体の一側部に沿って前記浴室の一方向の一端部から他端部まで延びる排水ピットと、
を備え、前記排水ピット及び床敷設体が、互いに別体であり、かつ互いに独立して前記架台に支持されていることを特徴とする浴室床構造。
【請求項２】
前記架台が、前記排水ピットの一対の長手側縁に沿って延びる一対の床梁材を含み、
前記排水ピットが前記一対の床梁材の間に懸架され、前記各長手側縁が対応する床梁材に支持されていることを特徴とする請求項１に記載の浴室床構造。
【請求項３】
前記排水ピットと前記床敷設体とが、互いに共通の前記床梁材における、互いに離れた箇所に支持又は連結されていることを特徴とする請求項２に記載の浴室床構造。
【請求項４】
前記長手側縁には、前記床梁材の上面に沿って前記床敷設体へ向けて張り出す張り出し縁部が形成され、前記張り出し縁部には、前記長手側縁の延び方向に離れて連結座と逃げ凹部とが設けられ、前記連結座がピット連結手段を介して前記床梁材と連結され、
前記逃げ凹部には前記床敷設体の連結凸片が配置され、該連結凸片が敷設体連結手段を介して前記床梁材と連結されていることを特徴とする請求項２又は３に記載の浴室床構造。
【請求項５】
前記排水ピットには前記長手側縁に沿って延びる凸条壁部が形成され、前記凸条壁部と前記床敷設体との間に凹溝が画成され、前記凹溝の底部に前記張り出し縁部が配置されており、
前記凹溝内にはスペーサ部材が前記張り出し縁部に被さるように収容され、
前記床敷設体の表層シートの端部が、前記スペーサ部材の上面を跨いで前記凸条壁部の上面に被さっていることを特徴とする請求項４に記載の浴室床構造。
【請求項６】
前記床梁材が、上板及び一対の側板を有する逆さＵ字状の断面の上側梁部材と、下板及び一対の側板を有するＵ字状の断面の下側梁部材とを含み、これら上下の梁部材どうしが、互いの側板が重なるように嵌め合わされていることを特徴とする請求項２〜５の何れか１項に記載の浴室床構造。
【請求項７】
前記排水ピットが、延び方向に沿って一直線に並べられた長尺の第１ピット及び短尺の第２ピットを含み、これら第１、第２ピットが、互いの間に水密材を挟んで突き当てられて連結されていることを特徴とする請求項１〜６の何れか１項に記載の浴室床構造。
【請求項８】
前記床敷設体の外周部に沿って、浴室の壁パネル又は扉枠を受ける相対的に長い壁・扉受け枠部が設けられ、
前記排水ピットの短手端縁には、相対的に短い壁・扉受け枠部が設けられ、
前記長短の壁・扉受け枠部どうしが、接続装置を介して接続されていることを特徴とする請求項１〜７の何れか１項に記載の浴室床構造。
【請求項９】
前記接続装置が、
係合部材及び操作部材を有して、前記長短の壁・扉受け枠部の一方に設けられた第１接続部品と、
前記長短の壁・扉受け枠部の他方に設けられた第２接続部品と、を含み、
前記操作部材の操作によって、前記係合部材が着脱位置と拘束位置との間で昇降可能であり、
前記第２接続部品が、前記着脱位置における前記係合部材と着脱可能かつ前記拘束位置における前記係合部材によって離間不能に拘束されることを特徴とする請求項８に記載の浴室床構造。
【請求項１０】
前記床敷設体が、前記排水ピットの延び方向に並べられた複数の床パネルと、前記複数の床パネルの上面に跨って敷設された表層シートとを含むことを特徴とする請求項１〜９の何れか１項に記載の浴室床構造。
【発明の詳細な説明】
【技術分野】
【０００１】
本発明は、浴室の床構造に関し、特に大容量の排水ピットを含む大型の浴室に適した浴室床構造に関する。
【背景技術】
【０００２】
一般的な戸建て住宅における浴室の場合、浴槽容量は２５０Ｌ程度、１日の入浴回数は居住人数に応じて１〜数回程度、浴槽排水時間は６分程度、排水流量は毎分４０Ｌ程度である。
これに対して、介護施設など向けの大型浴室においては、例えば浴槽容量６００Ｌ程度、１日の入浴回数１０回程度、浴槽排水時間２分程度、排水流量毎分３００Ｌ程度のスペックが要求される。
【先行技術文献】
【特許文献】
【０００３】
【特許文献１】特開２０１７−２１８７９９号公報
【特許文献２】特開２０００−２３０２６１号公報
【発明の概要】
【発明が解決しようとする課題】
【０００４】
大型浴室においては、大容量の浴槽に対応して、大容量の排水構造が要求される。一方、通常、排水ピットは浴室床パネルに一体に形成されている。かかる排水ピット一体型の浴室床パネルを大型化した場合には、設置作業が容易でなく、排水ピットへの排水トラップや排水管の接続作業及び配管作業も容易でない。
本発明は、かかる事情に鑑み、浴室の排水ピットを設置作業性などに制約されることなく大容量化できる浴室床構造を提供することを目的とする。
【課題を解決するための手段】
【０００５】
前記課題を解決するため、本発明に係る浴室床構造は、
浴室床の底部に設置された架台と、
前記架台上に敷設された床敷設体と、
前記床敷設体の一側部に沿って前記浴室の一方向の一端部から他端部まで延びる排水ピットと、
を備え、前記排水ピット及び床敷設体が、互いに別体であり、かつ互いに独立して前記架台に支持されていることを特徴とする。
【０００６】
当該浴室床構造によれば、排水ピットを床敷設体とは別途に架台上に設置することができる。したがって、排水ピットが大容量であっても設置作業を容易に行なうことができる。逆に言うと、設置作業性に制約されることなく排水ピットを大容量化できる。また、床敷設体を排水ピットとは別途に設置できるから、例えば床敷設体の設置前に排水管及び排水トラップを床下に配管して排水ピットに接続することによって、配管及び接続作業を容易化できる。その後、床敷設体を架台上に設置する。
【０００７】
前記架台が、前記排水ピットの一対の長手側縁に沿って延びる一対の床梁材を含み、
前記排水ピットが前記一対の床梁材の間に懸架され、前記各長手側縁が対応する床梁材に支持されていることが好ましい。
排水ピットを一対の床梁材どうしの間に挿し入れて、排水ピットの一対の長手側縁を床梁材に載せれば、排水ピットを架台に接合して固定する前であっても、排水ピットを架台に安定的に懸架できる。これによって、排水ピットの設置作業を一層容易化できる。排水ピットをかかる懸架構造とすることによって、排水ピットの深さ、幅、長さを十分に大きくでき、大容量を確保できる。
【０００８】
前記排水ピットと前記床敷設体とが、互いに共通の前記床梁材における、互いに離れた箇所に支持又は連結されていることが好ましい。
これによって、排水ピットの設置作業と床敷設体の設置作業を別々に行うことができる。１つの床梁材に排水ピットと床敷設体を互いに干渉しないようにして支持させたり連結させたりできる。
排水ピットにおける、荷重を床梁材にかける部分と、床梁材と連結固定される部分とが互いに離れて別々に設けられていてもよい。
床敷設体における、荷重を床梁材にかける部分と、床梁材と連結固定される部分とが互いに離れて別々に設けられていてもよい。
【０００９】
前記長手側縁には、前記床梁材の上面に沿って前記床敷設体へ向けて張り出す張り出し縁部が形成され、前記張り出し縁部には、前記長手側縁の延び方向に離れて連結座と逃げ凹部とが設けられ、前記連結座がピット連結手段を介して前記床梁材と連結され、
前記逃げ凹部には前記床敷設体の連結凸片が配置され、該連結凸片が敷設体連結手段を介して前記床梁材と連結されていることが好ましい。
これによって、排水ピットと床梁材との連結部と、床敷設体と床梁材との連結部を互いに離して干渉しないようにできる。
【００１０】
前記排水ピットには前記長手側縁に沿って延びる凸条壁部が形成され、前記凸条壁部と前記床敷設体との間に凹溝が画成され、前記凹溝の底部に前記張り出し縁部が配置されており、
前記凹溝内にはスペーサ部材が前記張り出し縁部に被さるように収容され、
前記床敷設体の表層シートの端部が、前記スペーサ部材の上面を跨いで前記凸条壁部の上面に被さっていることが好ましい。
排水ピット及び床敷設体のうち一方を架台上に設置して床梁材と連結した後、他方を架台上に設置すると、排水ピットの凸条壁部と床敷設体との間に凹溝が形成され、その底部に張り出し縁部の連結座と逃げ凹部が現れる。これによって、前記凹溝を通して、排水ピット及び床敷設体の他方と床梁材との連結作業を行うことができる。その後、スペーサ部材で凹溝を塞ぎ、表層シートで覆う。
【００１１】
前記床梁材が、上板及び一対の側板を有する逆さＵ字状の断面の上側梁部材と、下板及び一対の側板を有するＵ字状の断面の下側梁部材とを含み、これら上下の梁部材どうしが、互いの側板が重なるように嵌め合わされていることが好ましい。
これによって、床梁材の撓み強度を向上でき、大容量の排水ピット及び床敷設体を確実に支持できる。
【００１２】
前記排水ピットが、延び方向に沿って一直線に並べられた長尺の第１ピット及び短尺の第２ピットを含み、これら第１、第２ピットが、互いの間に水密材を挟んで突き当てられて連結されていることが好ましい。
長さの異なるピットを組み合わせることによって、浴室の様々なサイズに対応して排水ピットの全長を調整できる。
【００１３】
前記床敷設体の外周部に沿って、浴室の壁パネル又は扉枠を受ける相対的に長い壁・扉受け枠部が設けられ、
前記排水ピットの短手端縁には、相対的に短い壁・扉受け枠部が設けられ、
前記長短の壁・扉受け枠部どうしが、接続装置を介して接続されていることが好ましい。
これによって、浴室壁パネル又は扉枠を、床敷設体の外周部に沿って設置するだけでなく排水ピットの短手端縁に沿っても設置できる。壁・扉受け枠部を介して、排水ピットと床敷設体を接続できる。
【００１４】
前記接続装置が、
係合部材及び操作部材を有して、前記長短の壁・扉受け枠部の一方に設けられた第１接続部品と、
前記長短の壁・扉受け枠部の他方に設けられた第２接続部品と、を含み、
前記操作部材の操作によって、前記係合部材が着脱位置と拘束位置との間で昇降可能であり、
前記第２接続部品が、前記着脱位置における前記係合部材と着脱可能かつ前記拘束位置における前記係合部材によって離間不能に拘束されることが好ましい。
係合部材を着脱位置にして第２接続部品と係合させ、続いて、操作部材を操作することによって係合部材を拘束位置へ移動させる。これによって、係合部材と第２接続部品とが離間不能に拘束される。この結果、床敷設体と排水ピットの壁・扉受け枠部どうしを容易にかつしっかりと接続できる。操作部材が、第１接続部品の上面に現れていることが好ましい。これによって、操作部材を上方から操作することができる。例えば浴室の平面視外側に躯体壁が近接して配置されていても、操作部材を支障無く操作できる。
【００１５】
前記床敷設体が、前記排水ピットの延び方向に並べられた複数の床パネルと、前記複数の床パネルの上面に跨って敷設された表層シートとを含むことが好ましい。
これによって、浴室の様々なサイズに対応して床敷設体の大きさを調整できる。表層シートによって床パネルどうしの継ぎ目を覆うことができる。
【発明の効果】
【００１６】
本発明によれば、排水ピットを設置作業性などに制約されることなく大容量化できる。
【図面の簡単な説明】
【００１７】
【図１】図１は、本発明の一実施形態に係る浴室床を部分的に破断して示す平面図である。
【図２】図２は、前記浴室床の分解斜視図である。
【図３】図３は、図１のＩＩＩ−ＩＩＩ線に沿う断面図である。
【図４】図４は、図１のＩＶ−ＩＶ線に沿う断面図である。
【図５】図５は、図１の円部Ｖを拡大して示す平面図である。
【図６】図６は、図１のＶＩ−ＶＩ線に沿う、前記浴室床の排水ピットの第１ピットの端面図である。
【図７】図７は、図６のＶＩＩ−ＶＩＩ線に沿う、前記排水ピットの断面図である。
【図８】図８は、図１の円部ＶＩＩＩを拡大して示す平面図である。
【図９】図９は、前記円部ＶＩＩＩの周辺部の分解斜視図である。
【図１０】図１０は、図８のＸ−Ｘ線に沿う正面断面図である。
【図１１】図１１は、図１０のＸＩ線に沿う前記浴室床の接続装置の側面断面図である。
【図１２】図１２は、前記接続装置の分解斜視図である。
【図１３】図１３は、前記浴室床の設置工程を示す断面図である。
【図１４】図１４は、前記接続装置によって床敷設体の壁・扉受け枠部と排水ピットの壁・扉受け枠部とを接続しようとする様子を示す正面断面図である。
【図１５】図１５は、前記壁・扉受け枠部どうしを突き当てた段階を示す正面断面図である。
【図１６】図１６は、図１５のＸＶＩ−ＸＶＩ線に沿う、前記浴室床パネル接続装置の側面断面図である。
【図１７】図１７（ａ）は、図１６のＸＶＩＩ−ＸＶＩＩ線に沿う拡大断面図である。図１７（ｂ）は、前記接続装置の係合部材を同図（ａ）の状態から少し上昇操作した段階の拡大断面図である。
【発明を実施するための形態】
【００１８】
以下、本発明の一実施形態を図面にしたがって説明する。
本実施形態における浴室１は、例えば介護施設などにおいて用いられる比較的大型の浴室である。図１に示すように、浴室１の全体が洗い場になっている。浴室１の供用時には、別途、移動式の浴槽（図示せず）を搬入可能である。
当該浴室１のスペックは、一般的な戸建て住宅における浴室よりも大きく、例えば浴槽容量６００Ｌ程度、１日の入浴回数１０回程度、浴槽排水時間２分程度、排水流量毎分３００Ｌ程度である。なお、本発明が前記数値範囲に限定されるものではない。
【００１９】
図１及び図２に示すように、浴室床１ａ（浴室床構造）は、２つの床敷設体２と、排水ピット４と、架台３を備えている。浴室床１ａの底部に架台３が設置されている。床敷設体２と排水ピット４が架台３に支持されている。床敷設体２及び排水ピット４は、互いに別体であり、かつ互いに独立して架台３に支持されている。
排水ピット４は、浴室１の奥行方向Ｄ（図１において左右方向）の中央部（所定箇所）に配置され、かつ浴室１の幅方向Ｗ（一方向、図１において上下）の一端部から他端部まで延びている。
【００２０】
浴室床１ａが、排水ピット４を挟んで２つの床敷設体２に分かれている。各床敷設体２は、複数（図１では例えば４つ）の床パネル５と、表層シート６を含む。各床パネル５は、発泡樹脂製のパネル本体５ａを鋼板製の上側補強板５ｂ及び下側補強板５ｃによって挟んだサンドイッチ構造になっている。これによって、床パネル５の製造コストを安価にでき、かつ所要の強度を確保できる。
【００２１】
複数の浴室床パネル５が、排水ピット４の延び方向Ｗに並べられて、架台３上に敷設されている。表層シート６が、これら複数の床パネル５の上面に跨って敷設されている。
浴室床１ａの上面（床面）には、浴室奥行方向Ｄの両側部（図１において左右両端）から排水ピット４へ向かって下へ傾く水流勾配が形成されている。
なお、浴室床１ａの１のコーナーには、建物躯体の柱を避ける柱欠き１ｃが形成されている。柱欠き１ｃの有無や位置は、浴室１を設置する建物躯体に応じて適宜変更できる。
【００２２】
更に詳述する。
図１〜図３に示すように、架台３は、直交する方向Ｗ，Ｄの何れかへ水平に延びる床梁材３１，３２，３３などを含む。浴室床１ａの奥行方向Ｄの中央部には、２本の中央床梁材３３（床梁材）が互いに間隔を置いて平行に配置されている。各中央床梁材３３は、浴室床１ａの幅方向Ｗの一端部から他端部まで水平に延びている。中央床梁材３３の両端部が、浴室床１ａの外周の奥行方向Ｄへ延びる床梁材３２と接合されている。
【００２３】
図４に示すように、床梁材３３は、上側梁部材３４と、下側梁部材３５を含む。上側梁部材３４は、上板３４ａ及び一対の側板３４ｂを有し、断面が逆さＵ字状に形成されている。水平な上板３４ａの両端部から側板３４ｂが垂下されている。下側梁部材３５は、下板２５ａ及び一対の側板３５ｂを有し、断面がＵ字状に形成されている。水平な下板２５ａの両端部から側板３５ｂが上方へ突出されている。これら梁部材３4，３５どうしが上下に嵌め合わされ、互いの側板３４ｂ，３５ｂが厚み方向に重ね合わされている。上側梁部材３４の内側に下側梁部材３５が嵌められ、上側梁部材３４の側板３４ｂが下側梁部材３５の側板３５ｂの外面に宛がわれている。側板３４ｂ，３５ｂどうしは、溶接、ネジ止めなどの接合手段によって接合されていてもよい。
なお、下側梁部材３５の内側に上側梁部材３４が嵌められ、下側梁部材３５の側板３５ｂが上側梁部材３４の側板３４ｂの外面に宛がわれていてもよい。
【００２４】
図１に示すように、一対の床梁材３３に排水ピット４が支持及び連結されている。床梁材３３よりも浴室奥行方向Ｄの両外側の架台３に、床敷設体２が敷設されている。床敷設体２における排水ピット４側の端部は、床梁材３３に支持及び連結されている。要するに排水ピット４と床敷設体５とが、互いに共通の床梁材３３に支持及び連結されている。
【００２５】
図１に示すように、排水ピット４は、第１ピット４ａと、第２ピット４ｂを含む。第１ピット４ａは、相対的に長尺である。第２ピット４ｂは、第１ピット４ａより短尺である。第１ピット４ａ及び第２ピット４ｂが、浴室幅方向Ｗ（排水ピット４の延び方向）に沿って一直線に並べられている。図６に示すように、各ピット４ａ，４ｂの対向端面には鍔部４ｈが設けられている。図７に示すように、両ピットの鍔部４ｈがＥＰＤＭ（エチレンプロピレンジエンゴム）等からなる水密材４ｓを挟んで突き当てられ、ボルト締めによって連結されている。
【００２６】
図３に示すように、第１、第２の各ピット４ａ，４ｂひいては排水ピット４は、ピット本体４０と、一対の長手枠部４１（長手側縁）を一体に有している。ピット本体４０は、上面が開口された凹溝状に形成されている。図１に示すように、第１ピット４ａのピット本体４０の底面の一箇所に排水口４ｃが設けられている。詳細な図示は省略するが、ピット本体４０の底面には、排水口４ｃへ向かって下へ傾く排水勾配が形成されている。なお、排水口４ｃが、第２ピット４ｂに設けられていてもよい。
【００２７】
図３に示すように、排水口４ｃに排水トラップ４ｄ及び排水管４ｅが連なっている。前述したように、ピット本体４０は、大容量（例えば６００Ｌ程度）の浴槽からの排水を一時的に保水可能な容量を有している。かつ、排水口４ｃ、排水トラップ４ｄ及び排水管４ｅは、前記ピット本体４０に一旦溜まった排水を例えば２分程度で高速排水可能な大きさになっている。
【００２８】
図３に示すように、ピット本体４０における一対の長辺側縁部に沿って長手枠部４１が設けられている。一対の長手枠部４１は、浴室幅方向Ｗへ互いに平行に延び、ひいては中央床梁材３３と平行に延びている。各長手枠部４１が、対応する中央床梁材３３上に載せられて支持されている。ピット本体４０が、２本の中央床梁材３３の間に差し入れられて、中央床梁材３３より下方へ吊り下げられている。これによって、排水ピット４が一対の中央床梁材３３，３３の間に懸架されている。
【００２９】
図４に示すように、排水ピット４の長手枠部４１は、凸条壁部４３と、張り出し縁部４４とを有し、断面が概略凸字状に形成されている。凸条壁部４３におけるピット本体４０を向く側部に、段差４３ｄが形成されている。段差４３ｄには、図３において二点鎖線にて示すグレーチング４６の縁が載せられる。
凸条壁部４３の上面と段差４３ｄとの角部には、凸縁部４３ｂが上方へ突出するように形成されている。
【００３０】
図４に示すように、凸条壁部４３は、排水ピット４の長手方向（図４の紙面直交方向）へ延び、かつ内部には逆さ溝部４３ａが形成されて中空になっている。逆さ溝部４３ａは下方へ開放されている。逆さ溝部４３ａにサポート部材４５が嵌め込まれている。サポート部材４５は、例えば上下に縦長の四角筒形状のアルミ押出型材によって構成され、排水ピット４の長手方向（浴室幅方向Ｗ）へ真っ直ぐ延びている。サポート部材４５の材質は、アルミなどの金属に限らず樹脂でもよい。サポート部材４５には、レベル調節ボルトからなるピット枠脚部４２が設けられている。ピット枠脚部４２が、中央床梁材３３の上面に載せられている。排水ピット４の荷重が、ピット枠脚部４２から中央梁部材３３にかかっている。
【００３１】
ピット枠脚部４２は、床梁材３３に単に載っているだけであり、床梁材３３と固定されてはいない。排水ピット４には、床梁材３３との連結部４４ａが、ピット枠脚部４２とは別途に設けられている。つまり、排水ピット４における、荷重を床梁材３３にかける部分４２と、床梁材３３と連結固定される部分４４ａとが互いに離れて別々に設けられている。
【００３２】
図４及び図５に示すように、排水ピット４の凸条壁部４３におけるピット本体４０とは反対側を向く外側部には張り出し縁部４４が形成されている。張り出し縁部４４は、凸条壁部４３の底部から床敷設体２へ向けて張り出すとともに、床梁材３３の上面に沿って該梁材３３及び排水ピット４の長手方向へ延びている。張り出し縁部４４には、連結座４４ａと、逃げ凹部４４ｃとが、それぞれ長手方向（浴室幅方向Ｗ）に間隔を置いて複数形成されている。ピット固定ネジ４７（ピット連結手段）が、連結座４４ａを通して中央床梁材３３にねじ込まれている。これによって、排水ピット４が架台３に連結固定されている。
【００３３】
逃げ凹部４４ｃは、連結座４４ａから排水ピット４の長手方向に離れて配置され、凸条壁部４３へ向けて凹む切り欠き状に形成されている。逃げ凹部４４ｃの内側には、床敷設体２の各床パネル５から突出された連結凸片５ｇが配置されている。言い換えると、排水ピット４が、逃げ凹部４４ｃによって連結凸片５ｇを逃げている。連結凸片５ｇは、床梁材３３の上方に離れて床梁材３３と対峙している。パネル固定ネジ５ｈ（敷設体連結手段）が、連結凸片５ｇを通して床梁材３３にねじ込まれることで、床敷設体２が架台３に連結固定されている。
なお、床敷設体２の各床パネル５には、レベル調整ボルトからなる脚部５ｄが設けられ、該脚部５ｄが床梁材３３に載せられることで、床敷設体２の荷重が脚部５ｄから床梁材３３にかかっている。つまり、床敷設体２においても、荷重を床梁材３３にかける部分５ｄと、床梁材３３と連結固定される部分５ｇとが互いに離れて別々に設けられている。
【００３４】
排水ピット４の凸条壁部４３と床敷設体２との間には、凹溝４８が形成されている。凹溝４８の底部に張り出し縁部４４が配置されている。パネル固定ネジ５ｈ及びピット固定ネジ４７の頭部が、凹溝４８内に臨んでいる。図４に示すように、凹溝４８にスペーサ部材４９が収容されている。該スペーサ部材４９が、張り出し縁部４４及びネジ５ｈ，４７上に被さっている。
スペーサ部材４９は、例えば上下に縦長の四角筒形状のアルミ押出型材によって構成され、排水ピット４の長手方向（浴室幅方向Ｗ）へ真っ直ぐ延びている。スペーサ部材４９は、角柱形状でもよい。スペーサ部材４９の材質は、アルミなどの金属に限らず樹脂でもよい。
【００３５】
図４に示すように、表層シート６における排水ピット４側の端部６ｂは、床敷設体２の上面から延び出て、スペーサ部材４９の上面を跨ぎ、凸条壁部４３の上面に被さっている。凸条壁部４３の上面にはアクリルフォーム等からなる防水粘着テープ６ｇ（水密材）が設けられており、該防水粘着テープ６ｇが表層シート端部６ｂの下面と接合されている。
【００３６】
表層シート端部６ｂの端面は、凸縁部４３ｄに近接又は当接されている。凸状部４３ｄによって、表層シート端部６ｂの位置決めをすることができる。表層シート端部６ｂの端面と凸縁部４３ｄとの間には、シリコーン等のシーリング材６ｓが塗布されている。
表層シート端部６ｂの下面の防水粘着テープ６ｇと端面のシーリング材６ｓとによって、表層シート端部６ｂと排水ピット４との間が二重に防水処理されている。
表層シート６とスペーサ部材４９とは、非接合状態となっているが接着剤などで接合されていてもよい。
【００３７】
図１及び図９に示すように、各床パネル５ひいては床敷設体２の外周部に沿って、長い壁・扉受け枠部２ｆが設けられている。排水ピット４の短手端縁には、短い壁・扉受け枠部４ｆが設けられている。浴室１の奥行方向側縁部の中央部において、壁・扉受け枠部２ｆ，４ｆどうしが、接続装置９を介して一直線に連なっている。これら長短の壁・扉受け枠部２ｆ，４ｆは、互いに同一断面のアルミ押出型材からなり、図１０の二点鎖線にて示す浴室１の壁パネル７（又は扉枠）の底部を受ける。
なお、各壁・扉受け枠部２ｆ，４ｆにおける浴室内側を向く側部には、表層シート６の端部を受けるシート端受け枠部２ｋ，４ｋが設けられている。床敷設体２の奥行方向Ｄに延びるシート端受け枠部２ｋは、水流れ勾配に合わせて傾斜されている。
【００３８】
図１０に示すように、接続装置９は、第１接続部品１０と、第２接続部品２０を備えている。第１接続部品１０は、排水ピット４の壁・扉受け枠部４ｆの端部に設けられている。第２接続部品２０は、床敷設体２の壁・扉受け枠部２ｆにおける枠部４ｆとの対向端部に設けられている。
【００３９】
図１１及び図１２に示すように、第１接続部品１０は、ホルダ部材１１と、係合部材１２と、操作部材１３を有している。
ホルダ部材１１は、硬質樹脂によって構成され、上下に長いケース状になっている。ホルダ部材１１の両側板１１ａ，１１ｂの形状は、壁・扉受け枠部２ｆ，４ｆの断面形状とほぼ同一に形成されている。側板１１ａ，１１ｂの外側面には例えばＥＰＤＭの発泡体からなる水密材５１，５２が設けられている。
ホルダ部材１１の上面部には、浴室壁パネル７（又は浴室扉枠）の底部を受ける壁・扉受け凹部１１ｇが形成されている。図８に示すように、隣接する枠部２ｆ，４ｆの壁・扉受け凹部２ｇ，４ｇどうしが、ホルダ部材１１の壁・扉受け凹部１１ｇを介して一直線に連なっている。
【００４０】
図１０に示すように、ホルダ部材１１は、補強金具１４を介して、固定ねじ１７によって壁・扉受け枠部４ｆの端面に固定されている。側板１１ａと壁・扉受け枠部４ｆとの間の水密材５１が圧縮されて、防水処理されている。
【００４１】
図１０及び図１１に示すように、ホルダ部材１１の内部には、係合部材１２が収容されている。係合部材１２は、上下に長いコ字状の金具からなり、第２側板１１ｂの内側面に添うように配置されている。係合部材１２の縦板部１２ａには、上下一対の係合受け部１５が形成されている。なお、係合部材１２における係合受け部１５の数は、１つだけでもよく、３つ以上でもよい。
【００４２】
図１２に示すように、各係合受け部１５は、受け入れ穴１５ａと、拘束溝１５ｂと、拘束隆起部１６を含む。円形の受け入れ穴１５ａから下方へ拘束溝１５ｂが延びている。拘束溝１５ｂの幅は、受け入れ穴１５ａの直径より小さい。
【００４３】
縦板部１２ａにおける拘束溝１５ｂの両側の側縁部には、それぞれ切り起こしによって拘束隆起部１６が第１側板１１ａ側へ隆起するように形成されている。拘束隆起部１６における第１側板１１ａを向く表側面は、平坦頂面１６ａと、傾斜案内面１６ｂとを含む。傾斜案内面１６ｂは、受け入れ穴１５ａの下側の縁に連なるとともに、そこから下方へ向かって第１側板１１ａ側へ傾けられている。傾斜案内面１６ｂの下端部に平坦頂面１６ａが連なっている。平坦頂面１６ａは、縦板部１２ａにおける第１側板１１ａを向く表側面よりも第１側板１１ａ側へ突出され、かつ枠部２ｆ，４ｆどうしの対向方向Ｄに対して直交している。
【００４４】
図１０及び図１４に示すように、係合部材１２は、ホルダ部材１１内において昇降可能である。ホルダ部材１１には、前記昇降用の操作部材１３が設けられている。操作部材１３は、ネジによって構成されている。該操作部材１３が、ホルダ部材１１の上板部１１ｃ（上面部）を貫通して、ホルダ部材１１の内部空間に垂下され、係合部材１２の上板部１２ｂにねじ込まれている。操作部材１３を構成するネジの頭部１３ａ（操作部）は、上板部１１ｃに回転可能に係止されている。頭部１３ａは、ホルダ部材１１の壁・扉受け凹部１１ｇの底部に現れている。
【００４５】
操作部材１３のネジ回し操作によって、係合部材１２が、上側の拘束位置（図１０）と下側の着脱位置（図１４）との間で昇降される。このとき、係合部材１２が操作部材１３からのトルクで回転しないようにホルダ部材１１によって保持される。
【００４６】
図１０及び図１１に示すように、壁・扉受け枠部２ｆに設けられた第２接続部品２０は、上下一対の接続ネジ部材２１を含む。接続ネジ部材２１は、段付きネジによって構成されている。各接続ネジ部材２１が、壁・扉受け枠部２ｆの長手方向に向けられて、ネジ部２２が壁・扉受け枠部２ｆにおける枠部４ｆとの対向端部にねじ込まれている。接続ネジ部材２１のネジ部２２より頭部側の部分は、壁・扉受け枠部２ｆから突出され、係合突起２３を構成している。係合突起２３は、突出軸部２４と、軸頭部２５を含む。突出軸部２４の直径は、拘束溝１５ｂの幅より小さい。突出軸部２４の先端には、それより大径の軸頭部２５が形成されている。軸頭部２５の直径は、係合部材１２の受け入れ穴１５ａの直径より小さく、拘束溝１５ｂの幅より大きい。
【００４７】
図１４及び図１５に示すように、係合部材１２が着脱位置のとき、係合突起２３が受け入れ穴１５ａに挿抜可能であり、係合突起２３と係合部材１２とが着脱可能である。
図１０及び図１１に示すように、係合部材１２が拘束位置のとき、係合突起２３の突出軸部２４が拘束溝１５ｂに通され、かつ軸頭部２５が拘束隆起部１６の平坦頂面１６ａに押し当てられて拘束されている。これによって、第１、第２接続部品１０，２０どうしが離間不能に係合され、ひいては壁・扉受け枠部２ｆ，４ｆどうしが離間不能に接続されている。さらに、側板１１ｂと壁・扉受け枠部２ｆとの間の水密材５２が圧縮されて、防水処理されている。組み立て済みの浴室床１ａにおいては、係合部材１２は拘束位置に配置されている。
なお、図１に示すように、浴室幅方向に隣接する床パネル５の壁・扉受け枠部２ｆどうしは、前記接続装置９と同様の接続装置９Ｂを介して接続されている。
【００４８】
図１３に示すように、建築躯体の施工現場において浴室床１ａを構築する際は、まず架台３を設置する。
次に、排水ピット４を設置する。２つ（複数）のピット４ａ，４ｂは、工場などであらかじめ接続しておいてもよく、施工現場で接続してもよい。長さの異なるピット４ａ，４ｂを組み合わせることによって、浴室１の様々なサイズに応じて排水ピット４の全長を調整できる。
該排水ピット４のピット本体４０を２本の中央床梁材３３間に挿し入れ、一対の長手枠部４１をそれぞれ対応する中央床梁材３３の上に載せる。これによって、排水ピット４が２本の中央床梁材３３間に懸架される。長手枠部４１を床梁材３３に載せれば、排水ピット４を架台３に接合して固定する前であっても、排水ピット４を架台３によって安定的に支持できる。
続いて、ピット固定ネジ４７を、連結座４４ａに通して中央床梁材３３にねじ込み、排水ピット４を架台３に固定する。排水ピット４は中央床梁材３３間に安定的に懸架・支持されているから、ピット固定ネジ４７による固定作業を容易に行うことができる。
しかも、この段階では、床パネル５が未だ設置されていないから、排水ピット４の設置作業を確実に容易化できる。排水ピット４が大容量の大型ピットであっても設置作業性を損なうことがない。
逆に言うと、設置作業性に制約されることなく排水ピット４を大容量化できる。
【００４９】
次に、排水トラップ４ｄを排水ピット４の下側に配置して、排水口４ｃと接続する。更に、排水トラップ４ｄに続く排水管４ｅを架台３の水平な床梁材の下方の浴室床下空間１ｂに配管する。
この段階では、床パネル５が未だ設置されておらず、浴室床下空間１ｂが開放されているから、排水トラップ４ｄの接続作業及び排水管４ｅの配管作業を容易に行うことができる。排水トラップ４ｄが大型で排水管４ｅが大径であっても、接続・配管作業に支障を来すことがない。
【００５０】
次に、排水ピット４を挟んで両側の架台３上に複数の床パネル５を設置する。各床パネル５の脚部５ｄを中央床梁材３３上に載せる。さらにパネル固定ネジ５ｈによって連結凸片５ｇと中央床梁材３３とを連結する。これによって、浴室床パネル５が架台３に固定される。
図５に示すように、この段階では、連結凸片５ｇが凹溝４８の底部に現れているから、パネル固定ネジ５ｈのねじ込み操作を容易に行うことができる。ひいては浴室床パネル５と架台３の連結作業を容易に行うことができる。
複数の浴室床パネル５を同様の手順で架台３上に並べて設置し、隣接する床パネル５の壁・扉受け枠部２ｆどうしを接続部材９Ｂを介して接続する。
【００５１】
また、床敷設体２の壁・扉受け枠部２ｆと排水ピット４の壁・扉受け枠部４ｆとを、次のようにして接続する。
図１４に示すように、接続装置９の係合部材１２は着脱位置に配置しておく。そして、図１４〜図１５に示すように、枠部２ｆ，４ｆどうしを水平に対峙させるとともに互いに接近させて、突き当てる。これに伴って、係合突起２３が、受け入れ穴１５ａに受け入れられる。
続いて、操作部材１３を操作することによって、図１０及び図１１に示すように、係合部材１２を拘束位置まで上昇させる。操作部材１３の頭部１３ａをホルダ部材１１の上板部１１ｃに配置することによって、操作部材１３を上方から容易にネジ回し操作できる。したがって、浴室床１ａの平面視外側に躯体壁８などが近接して配置されていても、操作部材１３の操作に支障を来すことがない。
係合部材１２が拘束位置へ向かって上昇されるのに伴って、係合突起２３の突出軸部２４が、受け入れ穴１５ａから拘束溝１５ｂへ移行される。さらに図１７（ａ）〜同図（ｂ）に拡大して示すように、軸頭部２５が、拘束隆起部１６の傾斜案内面１６ｂに沿って壁・扉受け枠部４ｆ側（図１７において左側）へ押されながら平坦頂面１６ａ側へ移行される。これに伴って、係合突起２３ひいては壁・扉受け枠部２ｆが壁・扉受け枠部４ｆ側へ引き寄せられる。
【００５２】
係合部材１２が拘束位置に到達すると、軸頭部２５が、拘束隆起部１６の平坦頂面１６ａに乗り上げ、壁・扉受け枠部４ｆ側へ強く押圧される。このため、係合突起２３ひいては壁・扉受け枠部２ｆには、枠部４ｆ側へ向かって強い押圧力ないしは引き寄せ力が作用する。これによって、接続装置９を介して、壁・扉受け枠部２ｆ，４ｆどうしを強固に接合できる。更に、水密材５２が強く圧縮される。これによって、水密材５２の防水能力を確実に発現させることができ、第１接続部品１０と壁・扉受け枠部２ｆとの間を確実にシールできる。
【００５３】
その後、図１３に示すように、凹溝４８にスペーサ部材４９を収容する。
更に、表層シート６の敷設、壁パネル７及び図示しない扉枠の設置等を行う。図１０の二点鎖線にて示すように、浴室壁パネル７（又は扉枠）の底部は、床敷設体２の枠部２ｆの壁・扉受け凹部２ｇに嵌め入れられるだけでなく、排水ピット４の枠部４ｆの壁・扉受け凹部４ｇにも嵌め入れられ、さらには接続装置９の壁・扉受け凹部１１ｇにも嵌め入れられる（図１１参照）。したがって、操作部材１３を浴室壁パネル７（又は扉枠）によって隠すことができる。
【００５４】
当該浴室床構造によれば、前述したように、床敷設体２と排水ピット４とを別体にして、互いに独立して架台３に支持させることで、排水ピット４の設置作業と床敷設体２の設置作業を別々に行うことができる。したがって、排水ピット４が大容量であっても設置作業を容易に行うことができる。逆に言うと、設置作業性に制約されることなく排水ピット４を大容量化できる。同様に、排水トラップ４ｄ及び排水管４ｅについても、接続作業性や配管作業性に制約されることなく大型化できる。
排水ピット４を一対の床梁材３３，３３の間に懸架された懸架構造とし、かつ浴室幅方向Ｗの一端部から他端部まで横切らせることによって、排水ピット４の深さ、幅、長さを十分に大きくでき、大容量を確保できる。
さらに浴室床構造によれば、共通の床梁材３３に排水ピット４と床敷設体２を支持、連結させることができる。しかも、排水ピット４と床パネル５を直接には接続せず、互いに干渉しないようにして床梁材３３を介して接続できる。
床梁材３３は、Ｕ字状断面の上下の梁部材３４，３５を嵌め合わせた構造とすることによって、撓み強度を向上でき、大容量の排水ピット４及び大面積の床敷設体２を確実に支持できる。
複数の床パネル５を並べることによって、浴室の様々なサイズに対応して床敷設体２の大きさを調整できる。
表層シート６を複数の床パネル５の上面に跨らせることによって、床パネル５どうしの継ぎ目を表層シート６によって覆うことができる。
【００５５】
本発明は、前記実施形態に限定されるものではなく、その趣旨を逸脱しない範囲において種々の改変をなすことができる。
例えば、排水ピット４の片側だけに床敷設体２が設けられていてもよい。
接続装置９の第１接続部品１０が、床敷設体２の壁・扉受け枠部２ｆに設けられ、第２接続部品２０が、排水ピット４の壁・扉受け枠部４ｆに設けられていてもよい。
第１接続部品１０の係合部材が係合突起を有し、該係合突起が操作部材１３によって着脱位置と拘束位置との間で移動可能であってもよい。かつ第２接続部品２０が、前記第１接続部品１０の係合突起に対する受け入れ穴１５ａ及び拘束溝１５ｂを有し、更には拘束隆起部１６を有していてもよい。
拘束位置が着脱位置に対して下方に位置されていてもよい。係合部材を下降させることによって拘束位置になるようにしてもよい。
本発明の浴室床構造は、介護施設などの大型浴室に限らず、戸建て住宅や集合住宅その他の浴室にも適用できる。
床パネルはＦＲＰ製であってもよい。
浴室が、浴槽及び浴槽受けパンを有していてもよい。本発明の床パネルが、前記浴槽受けパンを含んでいてもよい。
【産業上の利用可能性】
【００５６】
本発明は、例えば介護施設などの大型の浴室に適用できる。
【符号の説明】
【００５７】
Ｗ      浴室幅方向（一方向）
１      浴室
１ａ    浴室床
２      床敷設体
２ｆ    長い壁・扉受け枠部
３      架台
４      排水ピット
４ａ    第１ピット
４ｂ    第２ピット
４ｃ    排水口
４ｄ    排水トラップ
４ｅ    排水管
４ｆ    短い壁・扉受け枠部
４ｇ    壁・扉受け凹部
５      床パネル
５ｇ    連結凸片
５ｈ    パネル固定ネジ（敷設体連結手段）
６      表層シート
７      浴室壁パネル
８      躯体壁
９      接続装置
１０    第１接続部品
１１    ホルダ部材
１１ｇ  壁・扉受け凹部
１２    係合部材
１３    操作部材
１３ａ  操作部
１５    係合受け部
１５ａ  受け入れ穴
１５ｂ  拘束溝
１６    拘束隆起部
１６ａ  平坦頂面
１６ｂ  傾斜案内面
２０    第２接続部品
２３    係合突起
２４    突出軸部
２５    軸頭部
３３    中央床梁材（床梁材）
３４    上側梁部材
３４ａ  上板
３４ｂ  側板
３５    下側梁部材
３５ａ  上板
３５ｂ  側板
４０    ピット本体
４１    長手枠部（長手側縁）
４２    ピット枠脚部
４３    凸条壁部
４４    張り出し縁部
４４ａ  連結座
４４ｃ  逃げ凹部
４７    ピット固定ネジ（ピット連結手段）
４８    凹溝
４９    スペーサ部材
【図１】
2020059994.tif 000003
【図２】
2020059994.tif 000004
【図３】
2020059994.tif 000005
【図４】
2020059994.tif 000006
【図５】
2020059994.tif 000007
【図６】
2020059994.tif 000008
【図７】
2020059994.tif 000009
【図８】
2020059994.tif 000010
【図９】
2020059994.tif 000011
【図１０】
2020059994.tif 000012
【図１１】
2020059994.tif 000013
【図１２】
2020059994.tif 000014
【図１３】
2020059994.tif 000015
【図１４】
2020059994.tif 000016
【図１５】
2020059994.tif 000017
【図１６】
2020059994.tif 000018
【図１７】
2020059994.tif 000019